(57)【要約】【課題】従来に比べて、コストダウンを図ることができるコンデンサの提供。【解決手段】ケース本体２１とケース蓋体２２とを備えるケース２０を有しており、ケース２０の内面２０ａまたは外面２０ｂの少なくともいずれか一方に金属フィルム５０が固定して取付けられている。そのため、金属フィルム５０にて、ケース２０の周囲の水蒸気（水分）がケース２０内に侵入することを阻止できる。よって、従来と異なり、エポキシ樹脂を廃止できる、よって、従来に比べて、サイクルタイム短縮によるコストダウンを図ることができる。【選択図】        図１
2013197144.tif 000002
【特許請求の範囲】
【請求項１】
ケースと、コンデンサ素子と、バスバーと、を有し、
前記ケースは、開口部を備えるケース本体と、該ケース本体に固定されて該ケース本体の開口部を閉塞するケース蓋体と、を備えており、内面または外面の少なくともいずれか一方に金属フィルムが固定して取付けられており、
前記コンデンサ素子は、前記ケース内に収容されており、
前記バスバーは、前記ケース内に位置し前記コンデンサ素子に固定されるバスバー第１の部分と、前記ケース外に位置するバスバー第２の部分と、前記バスバー第１の部分と前記バスバー第２の部分との間に位置し前記ケースに設けられるバスバー挿通用孔を挿通するケース挿通部と、を備えており、前記バスバー第１の部分で前記コンデンサ素子に固定して取付けられており、前記ケース挿通部で前記ケースに固定されて保持されている、
コンデンサ。
【請求項２】
前記ケースのバスバー挿通用孔の縁と、前記バスバーのケース挿通部との間は、シール部材にて封止されている、請求項１記載のコンデンサ。
【発明の詳細な説明】
【技術分野】
【０００１】
本発明は、自動車等に使用されるコンデンサに関する。
【背景技術】
【０００２】
特開２００８−２８８２４２号公報は、コンデンサ素子と該コンデンサ素子に固定して取付けられるバスバーとを、上面が開口したケース本体に収容し、該ケース本体に熱硬化性樹脂であるエポキシ樹脂を充填して硬化させることで、バスバーの外部接続用の端子部を除いてコンデンサ素子とバスバーとをエポキシ樹脂で包んだ（覆った）、コンデンサを開示している。
なお、エポキシ樹脂は、周囲からの水蒸気（水分）のコンデンサ素子への侵入を阻止するために設けられている。
【０００３】
しかし、従来のコンデンサには、つぎの問題点がある。
エポキシ樹脂の硬化に要する時間は比較的長いため、コンデンサの製造に要する時間が比較的長くなってしまい、サイクルタイム短縮によるコストダウンを図ることが困難である。
【先行技術文献】
【特許文献】
【０００４】
【特許文献１】特開２００８−２８８２４２号公報
【発明の概要】
【発明が解決しようとする課題】
【０００５】
本発明の目的は、従来に比べて、コストダウンを図ることができるコンデンサを提供することにある。
【課題を解決するための手段】
【０００６】
上記目的を達成する本発明はつぎの通りである。
（１）  ケースと、コンデンサ素子と、バスバーと、を有し、
前記ケースは、開口部を備えるケース本体と、該ケース本体に固定されて該ケース本体の開口部を閉塞するケース蓋体と、を備えており、内面または外面の少なくともいずれか一方に金属フィルムが固定して取付けられており、
前記コンデンサ素子は、前記ケース内に収容されており、
前記バスバーは、前記ケース内に位置し前記コンデンサ素子に固定されるバスバー第１の部分と、前記ケース外に位置するバスバー第２の部分と、前記バスバー第１の部分と前記バスバー第２の部分との間に位置し前記ケースに設けられるバスバー挿通用孔を挿通するケース挿通部と、を備えており、前記バスバー第１の部分で前記コンデンサ素子に固定して取付けられており、前記ケース挿通部で前記ケースに固定されて保持されている、
コンデンサ。
（２）  前記ケースのバスバー挿通用孔の縁と、前記バスバーのケース挿通部との間は、シール部材にて封止されている、（１）記載のコンデンサ。
【発明の効果】
【０００７】
上記（１）のコンデンサによれば、ケースを有しており、ケースの内面または外面の少なくともいずれか一方に金属フィルムが固定して取付けられているため、金属フィルムにて、ケースの周囲の水蒸気（水分）がケース内に侵入することを阻止できる。よって、従来と異なり、エポキシ樹脂を廃止できる、よって、従来に比べて、サイクルタイム短縮によるコストダウンを図ることができる。
【０００８】
上記（２）のコンデンサによれば、ケースのバスバー挿通用孔の縁と、バスバーのケース挿通部との間が、シール部材にて封止されているため、シール部材を水蒸気バリア性を備える材料で構成することにより、シール部材にて、ケースの周囲の水蒸気（水分）がバスバー挿通用孔を通ってケース内に侵入することを阻止できる。
【図面の簡単な説明】
【０００９】
【図１】本発明実施例のコンデンサの断面図である。ただし、コンデンサ素子の断面表示は省略している。
【図２】本発明実施例のコンデンサの変形例を示す断面図であり、ケースにコンデンサ素子を支持する支持リブが設けられている場合の断面図である。ただし、コンデンサ素子の断面表示は省略している。
【図３】本発明実施例のコンデンサの変形例を示す断面図であり、ケース内空間が絶縁部材で充填されている場合の断面図である。ただし、コンデンサ素子の断面表示は省略している。
【発明を実施するための形態】
【００１０】
以下に、本発明実施例のコンデンサを、図面を参照して、説明する。
本発明実施例のコンデンサ１０は、ハイブリッド車や電気自動車等の自動車等に設けられるコンデンサである。コンデンサ１０は、図１に示すように、ケース２０と、コンデンサ素子３０と、バスバー４０と、金属フィルム５０と、シール部材６０と、を有する。
【００１１】
ケース２０は、たとえば樹脂製であり絶縁性である。ケース２０は、コンデンサ１０を該コンデンサ１０が固定して取付けられる図示略の部品（ＰＣＵ（Power Control Unit）等）に固定するために設けられる。ケース２０は、開口部２１ａを備えるケース本体２１と、ケース本体２１に固定されてケース本体２１の開口部２１ａを閉塞（密封）するケース蓋体２２と、を備える。
【００１２】
ケース本体２１は、水蒸気バリア性を考慮していない材料で構成されている。ケース本体２１が水蒸気バリア性を考慮していない材料で構成されるため、ケース本体２１の材料は、水蒸気バリア性を考慮したエポキシ樹脂、ＰＰＳ（ポリフェニレンサルファイド）製などに比べて安価な材料である、ＰＰ（ポリプロピレン）製、ＰＥ（ポリエチレン）製等でよい。
ケース本体２１は、底壁２１ｂと、底壁２１ｂの外縁部から上方に立ち上がる側壁２１ｃと、で構成されており、上端部が上方に開放する開口部２１ａとなっている。
【００１３】
ケース蓋体２２は、ケース本体２１と同じ材料で構成されている。ケース蓋体２２は、平板状または略平板状である。ケース蓋体２２は、ケース蓋体２２の外縁部の下面をケース本体２１の側壁２１ｃの上端面に全周にわたって連続して（隙間なく）接合することで、ケース本体２１に固定されている。ケース蓋体２２は、ケース本体２１に、バイブレーション溶着にて接合されていてもよいが、レーザー溶接などのバイブレーション溶着以外の方法で接合されていることが望ましい。バイブレーション溶着では、ケース蓋体２２とケース本体２１との接合時の振動がコンデンサ素子３０とバスバー４０にも伝わり、コンデンサ素子３０とバスバー４０との接合剥がれのおそれがあるからである。また、バイブレーション溶着では、金属フィルム５０が破れるおそれがあるからである。
【００１４】
ケース本体２１とケース蓋体２２のいずれか一方は、バスバー４０を固定支持している（本発明図示例ではケース蓋体２２がバスバー４０を固定支持している場合を示している）。以下、本発明実施例では、ケース蓋体２２がバスバー４０を固定支持している場合を例にとって説明する。
ケース蓋体２２は、バスバー４０を、シール部材６０を介して固定支持している。ケース蓋体２２には、バスバー４０が挿通するバスバー挿通用孔２２ａが設けられている。
【００１５】
コンデンサ素子３０は、金属蒸着電極を設けた誘電体フィルムを巻回または積層することによって構成されたものであり、この巻回または積層したものの両端にメタリコン電極（図示略）が形成されている。コンデンサ素子３０は、ケース２０内に位置しており、ケース２０内に収容されている。
【００１６】
コンデンサ素子３０は、図１に示すように、ケース２０内でバスバー４０のみによって支持されていてもよいが、コンデンサ素子３０の安定した支持力を高めるため、（ｉ）図２に示すように、ケース本体２１および／またはケース蓋体２２にコンデンサ素子３０側に延びておりコンデンサ素子３０を支持する支持リブ２３を設けることで該支持リブ２３によっても支持されていてもよく、（ｉｉ）図３に示すように、ケース２０内をスポンジ等の絶縁部材２４で充填することで該絶縁部材２４によっても支持されていてもよく、（ｉｉｉ）上記（ｉ）と上記（ｉｉ）の両方によっても支持されていてもよい。なお、絶縁部材２４は、水蒸気バリア性を考慮していない材料で構成されており、コスト低減を図るために、エポキシ樹脂やＰＰＳ性などに比べて安価な材料で構成されていることが望ましい。
【００１７】
バスバー４０は、金属製であり、長尺状で薄板状である。バスバー４０は、図１に示すように、コンデンサ素子３０の両端のメタリコン電極に対応させて一対設けられている。一対のバスバー４０の一方は、コンデンサ素子３０の一端にはんだ付けにて固定して取付けられて（接合されて）おり、コンデンサ素子３０の一端のメタリコン電極に接続されている。一対のバスバー４０の他方は、コンデンサ素子３０の他端にはんだ付けにて固定して取付けられて（接合されて）おり、コンデンサ素子３０の他端のメタリコン電極に接続されている。
【００１８】
バスバー４０は、ケース２０内からケース２０外に延びている。バスバー４０は、ケース２０内に位置するバスバー第１の部分４１と、ケース２０外に位置するバスバー第２の部分４２と、バスバー第１の部分４１とバスバー第２の部分４２との間に位置しケース２０のバスバー挿通用孔２２ａを挿通するケース挿通部４３と、を備える。
【００１９】
バスバー４０は、バスバー第１の部分４１でコンデンサ素子３０に固定して取付けられている。バスバー第２の部分４２は、外部接続用の端子部とされている。バスバー４０は、ケース挿通部４３でケース２０のケース蓋体２２にシール部材６０を介して固定されて保持されている。
【００２０】
金属フィルム５０は、ケース２０の内面２０ａに固定して取付けられている（設けられている）。ただし、金属フィルム５０は、図２に示すように、ケース２０の外面２０ｂに固定して取付けられていてもよい。また、金属フィルム５０は、図示はしないが、ケース２０の内面２０ａと外面２０ｂの両方に固定して取付けられていてもよい。すなわち、金属フィルム５０は、ケース２０の内面２０ａまたは外面２０ｂの少なくともいずれか一方に固定して取付けられていればよい。
【００２１】
金属フィルム５０は、水蒸気バリア性を備えており、ケース２０の周囲の水蒸気（水分）がケース２０内に侵入することを阻止するために設けられる。金属フィルム５０は、特に限定するものではないが、たとえばアルミニウム製である。金属フィルム５０は、図示はしないが、両側に樹脂フィルム層を備える金属ラミネートフィルム（アルミラミネートフィルム）であってもよい。
金属フィルム５０は、ケース本体２１に固定して取付けられる本体側フィルム５１と、ケース蓋体２２に固定して取り付けられる蓋体側フィルム５２と、を備える。
【００２２】
本体側フィルム５１は、一部品構成である。ただし、本体側フィルム５１は複数部品構成であってもよい。本体側フィルム５１は、たとえば、ケース本体２１を成形する図示略の成形型にセット（インサート）しておくことで、ケース本体２１の成形と同時にケース本体２１を構成する樹脂材の接着力によりケース本体２１に固定して取付けられる。すなわち、本体側フィルム５１は、ケース本体２１にインモールドされる。ただし、本体側フィルム５１は、ケース本体２１の成形後に接着剤等を用いてケース本体２１に接着固定されていてもよい。
本体側フィルム５１は、図１に示すように、金属フィルム５０がケース２０の内面２０ａに固定して取付けられる場合、ケース本体２１の底壁２１ｂの上面の全体と側壁２１ｃの内面（内周面）の全体とに固定して取付けられる。本体側フィルム５１は、図２に示すように、金属フィルム５０がケース２０の外面２０ｂに固定して取付けられる場合、ケース本体２１の底壁２１ｂの下面の全体と側壁２１ｃの外面（外周面）の全体とに固定して取付けられる。
【００２３】
蓋体側フィルム５２は、たとえば、ケース蓋体２２を成形する図示略の成形型にセット（インサート）しておくことで、ケース蓋体２２の成形と同時にケース蓋体２２を構成する樹脂材の接着力によりケース蓋体２２に固定して取付けられる。すなわち、蓋体側フィルム５２は、ケース蓋体２２にインモールドされる。ただし、蓋体側フィルム５２は、ケース蓋体２２の成形後に接着剤等を用いてケース蓋体２２に接着固定されていてもよい。
蓋体側フィルム５２は、図１に示すように、金属フィルム５０がケース２０の内面２０ａに固定して取付けられる場合、ケース蓋体２２の外縁部（ケース本体２１と接合される部分）を除く下面の全体に固定して取付けられる。蓋体側フィルム５２は、図２に示すように、金属フィルム５０がケース２０の外面２０ｂに固定して取付けられる場合、ケース蓋体２２の上面の全体と側面の全体とに固定して取付けられる。
蓋体側フィルム５２と本体側フィルム５１とは、全周にわたって連続して（隙間なく）接触し合っている。
【００２４】
シール部材６０は、ケース２０のバスバー挿通用孔２２ａの縁と、バスバー４０のケース挿通部４３と、の間の隙間を埋めるようにして設けられており、該隙間をシール（封止）する。シール部材６０は、水蒸気バリア性を備えている。シール部材６０の材料は、たとえば、水蒸気バリア性と接着性を備える変性樹脂材（変性ＰＰ、変性ＰＥ等）、ゴム材等である。
【００２５】
つぎに、本発明実施例の作用、効果を説明する。
ケース２０を有しており、ケース２０の内面２０ａまたは外面２０ｂの少なくともいずれか一方に金属フィルム５０が固定して取付けられているため、金属フィルム５０にて、ケース２０の周囲の水蒸気（水分）がケース２０内に侵入することを阻止できる。よって、従来と異なり、エポキシ樹脂を廃止できる、よって、従来に比べて、サイクルタイム短縮によるコストダウンを図ることができる。
また、金属フィルム５０の材料をエポキシ樹脂よりも安価な材料（たとえばアルミラミネートフィルム）とすることにより、部品単価低減によるコストダウンを図ることができる。
【００２６】
ケース２０のバスバー挿通用孔２２ａの縁と、バスバー４０のケース挿通部４３との間が、シール部材６０にて封止されているため、シール部材６０を水蒸気バリア性を備える材料で構成することにより、シール部材６０にて、ケース１０の周囲の水蒸気（水分）がバスバー挿通用孔２２ａを通ってケース２０内に侵入することを阻止できる。
【符号の説明】
【００２７】
１０  コンデンサ
２０  ケース
２０ａ  ケースの内面
２０ｂ  ケースの外面
２１  ケース本体
２１ａ  ケース本体の開口部
２１ｂ  ケース本体の底壁
２１ｃ  ケース本体の側壁
２２  ケース蓋体
２２ａ  バスバー挿通用孔
２３  支持リブ
２４  絶縁部材
３０  コンデンサ素子
４０  バスバー
４１  バスバー第１の部分
４２  バスバー第２の部分
４３  ケース挿通部
５０  金属フィルム
５１  本体側フィルム
５２  蓋体側フィルム
６０  シール部材
【図１】
2013197144.tif 000003
【図２】
2013197144.tif 000004
【図３】
2013197144.tif 000005